(57)【特許請求の範囲】
【請求項１】
供給される空気を吹き出す空調椅子であって、
座及び背板と、
前記空気が流れる第１のダクトが設けられた肘掛とを備え、
前記肘掛の後部は、前記背板の少なくとも一部よりも後方に突出しており、
前記肘掛の後部には、前記背板に対向し且つ前記第１のダクトと連通する吹出口が設けられており、
前記吹出口には、前記空気を前記背板に向かって上方に導くルーバー組立体が配置されていることを特徴とする、空調椅子。
【請求項２】
前記ルーバー組立体は、横方向ルーバーと縦方向ルーバーとを有し、
前記横方向ルーバーと前記縦方向ルーバーとは、交差するように組み合わされていることを特徴とする、請求項１に記載の空調椅子。
【請求項３】
前記横方向ルーバーは、Ｖ字状の上側ルーバーと、板状の下側ルーバーとを有することを特徴とする、請求項２に記載の空調椅子。
【請求項４】
前記横方向ルーバーは、前記上側ルーバーと前記下側ルーバーとの間に配置された板状の中間ルーバーを有することを特徴とする、請求項３に記載の空調椅子。
【請求項５】
前記上側ルーバーの谷部は、前記下側ルーバーの下端及び前記中間ルーバーの下端よりも前記吹出口から遠い位置にあることを特徴とする、請求項４に記載の空調椅子。
【請求項６】
前記縦方向ルーバーは、複数の板状ルーバーを有し、
前記複数の板状ルーバーのうち、前記肘掛の後端に近い板状ルーバーは、前記後端から遠い板状ルーバーよりも長いことを特徴とする、請求項２ないし５のいずれか１項に記載の空調椅子。
【請求項７】
前記縦方向ルーバーは、複数の板状ルーバーを有し、
前記複数の板状ルーバーのうち、前記肘掛の後端に近い板状ルーバーの下端は、前記後端から遠い板状ルーバーの下端よりも下方へ突出していることを特徴とする、請求項２ないし５のいずれか１項に記載の空調椅子。
【請求項８】
前記背板は、湾曲面を有しており、
前記肘掛の後部は、前記背板の側方端部よりも後方に位置しており、
前記吹出口は、前記湾曲面に対向することを特徴とする、請求項１ないし７のいずれか１項に記載の空調椅子。
【請求項９】
前記肘掛は、前記座及び前記背板を支持する側脚を有し、
前記側脚は、中空の側脚本体を有し、
前記座の下方には、前記側脚本体に連通すると共に、供給される前記空気が流入する下方開口を有する第２のダクトが設けられており、
前記第１のダクトは、前記吹出口に連通する後側開口と、前記側脚本体の上部開口に連通する下側開口とを有することを特徴とする、請求項１ないし８のいずれか１項に記載の空調椅子。
【請求項１０】
前記第１のダクト内には、風向板が設けられており、
前記風向板は、前記後側開口に向かって傾いていると共に、前記後側開口の縁部に固定されていることを特徴とする、請求項９に記載の空調椅子。
【請求項１１】
請求項１ないし１０のいずれか１項に記載の空調椅子と、
前記空調椅子へ空気を供給する空調装置と、
前記空調装置及び前記空調椅子に接続された給気ダクトとを備えることを特徴とする、空調システム。
【発明の詳細な説明】
【技術分野】
【０００１】
本発明は、劇場、講堂等に設置され、吹出口から空気を吹き出すことにより大きな空間を空調する空調椅子、及び当該空調椅子を備える空調システムに関する。
【背景技術】
【０００２】
劇場、ホール等に設置される空調椅子として、特許文献１に記載されるように、背もたれ部の内部を連通するチャンバーと、該チャンバーに接続し且つ背もたれ部の上端に開口する空気通路とを備える空調椅子があった。この空調椅子のチャンバーは、床下に配管された空調用ダクトに接続された通気導管に連結されている。これにより、各椅子の背もたれ部の内部を通って、背もたれ部の上端から空調空気がホール内に放出される。
【０００３】
また、特許文献２に記載されるように、背もたれ部の後面壁に形成された冷気吹出口と、椅子の内部空間に連通するダクトとを備える空調椅子があった。
【先行技術文献】
【特許文献】
【０００４】
【特許文献１】特開平９−２５２８７７号公報
【特許文献２】特開平９−３７８９４号公報
【発明の概要】
【発明が解決しようとする課題】
【０００５】
チャンバーと空気通路とが背板（背もたれ部）の内部に設けられる空調椅子の場合、チャンバーと空気通路の厚みだけ背板が厚くなってしまう。その結果、背板が十分な厚みを備える必要があるため、デザインの自由度が低く見た目が悪くなってしまう。例えば、湾曲した形状の背板を製造することは困難である。
【０００６】
また、背板の後面側に形成された吹出口から空気を吹き出すと、後側の空調椅子の使用者に空気が直接当たってしまうため、使用者が不快感を覚えてしまう。
【課題を解決するための手段】
【０００７】
上記課題を解決するため、本発明の空調椅子は、供給される空気を吹き出す空調椅子であって、座及び背板と、前記空気が流れる第１のダクトが設けられた肘掛とを備え、前記肘掛の後部は、前記背板の少なくとも一部よりも後方に突出しており、前記肘掛の後部には、前記背板に対向し且つ前記第１のダクトと連通する吹出口が設けられており、前記吹出口には、前記空気を上方に導くルーバー組立体が配置されていることを特徴とする。
【０００８】
また、本発明の空調システムは、上記空調椅子と、前記空調椅子へ空気を供給する空調装置と、前記空調装置及び前記空調椅子に接続された給気ダクトとを備えることを特徴とする。
【０００９】
本発明によれば、空気を吹き出すための吹出口が、背板よりも後方に突出した肘掛の後部に設けられている。これにより、背板に空気の吹出口やダクトを形成する必要がなくなる。そのため、デザインの自由度が高い空調椅子を提供することができる。
【００１０】
また、本発明においては、吹出口が背板に対向しており、外部から供給される空気をルーバー組立体によって空調椅子の上方へと導いている。そのため、吹き出た空気が背板の後面に沿って上方に流れ、後側空調椅子の使用者が居る空間を効率的に空調することができる。さらに、後側の空調椅子の使用者に空気が直接当たることを防止できる。
【図面の簡単な説明】
【００１１】
【図１】空調椅子の概略側面図である。
【図２】空調椅子の概略前面図である。
【図３】空調椅子の概略後面図である。
【図４】空調椅子の概略上面図である。
【図５】後方から見た横ダクトの斜視図である。
【図６】第１実施形態の側脚の概略側面図である。
【図７】第１実施形態の側脚の概略後面図である。
【図８】第１実施形態の縦ダクトの概略側面図である。
【図９】第１実施形態の肘掛の概略側面図である。
【図１０】第１実施形態の前部組立体の概略側面図である。
【図１１】第１実施形態の後部組立体の概略側面図である。
【図１２】第１実施形態の後部組立体の概略前面図である。
【図１３】第１実施形態のルーバー組立体の斜視図である。
【図１４】第２実施形態の側脚の概略後面図である。
【図１５】第２実施形態の後部組立体の概略前面図である。
【図１６】空調システムの全体図である。
【発明を実施するための形態】
【００１２】
以下、図面を参照して、本発明について詳しく説明する。なお、いずれの図面においても、説明の便宜のために、外部から視認できない部分の一部を点線で示している。
【実施例】
【００１３】
図１は、空調椅子１の概略側面図であり、床１００に設置された三列の空調椅子１を示している。図１中、中央の空調椅子１は図２及び図３において中間に配置された空調椅子１であり、他の空調椅子１と連結される側面が図示されている。そして、図１中、左側及び右側の空調椅子１は、図２において右端に配置された空調椅子１であり、外側の側面が図示されている。なお、図１における左側が空調椅子１の前方であり、右側が空調椅子１の後方である。また、図１においては、使用位置の座１１を図示しているが、説明の便宜のために収納位置の座１１も点線で図示している。
【００１４】
空調椅子１は、吹出口２１を介して、後述する外部の冷暖房用空調装置３００から供給される空調用の空気を吹き出すことができる。そして、空調椅子１は、使用者が着座するための座１１及び背板１２と、空気が流れる第１のダクトとなる縦ダクト３１が設けられた肘掛２とを備えている。また、肘掛２は座１１及び背板１２を支持する側脚３を有し、側脚３は縦ダクト３１及び中空の側脚本体３２を有する。座１１及び背板１２の両側には、１対の金属製の側脚３が配置されている。座１１は、座支持部材１１１により側脚３に対して揺動可能に支持されている。すなわち、空調椅子１に着座する場合には、使用者は前方へ倒れるように座１１を移動することができ、収納する場合には後方に起き上がるように座１１を移動することができる。また、背板１２は、背板支持部材１２１を介して側脚３に支持されている。
【００１５】
図２は、空調椅子１の概略前面図であり、床１００に設置された三脚の空調椅子１を示している。また、図３は、空調椅子１の概略後面図であり、床１００に設置された三脚の空調椅子１を示している。また、図４は、空調椅子１の概略上面図であり、床１００に設置された三脚の空調椅子１を示している。なお、図２及び図４においては、左側及び右側の二脚の空調椅子１が使用位置の座１１を図示しており、二脚の空調椅子１に挟まれた中間の空調椅子１が収納位置の座１１を図示している。
【００１６】
図２及び図３に示すように、座１１の下方には、第２のダクトとして、側脚本体３２に連通する横ダクト１３が設けられている。横ダクト１３は、供給される空気が流入する下方開口１３１を有しており、側脚本体３２を介して縦ダクト３１と連通している。また、横ダクト１３は床１００に設けられた通気口１０１と連通しており、縦ダクト３１は肘掛２に形成された吹出口２１と連通している。そして、通気口１０１は、後述する給気ダクト４００を介して空調装置３００に接続されている。そのため、空調装置３００から供給された空気は、通気口１０１、横ダクト１３、側脚本体３２、縦ダクト３１及び吹出口２１を介して空調椅子１から吹き出される。また、横ダクト１３は、図１に示すように、側脚３に取り付けられたダクトカバー１３２に覆われている。これにより、使用者の足が横ダクト１３にぶつかった場合であっても、ダクトカバー１３２によって横ダクト１３が保護される。また、横ダクト１３の外観が使用者に視認されないので、空調椅子１の美観を損なうことがない。なお、図２及び図３においては、通気口１０１が中間の空調椅子１の下方に設けられているが、左側又は右側の空調椅子１の下方に設けてもよい。
【００１７】
背板１２は、図４に示すように湾曲面１２０を有していると共に、図１に示すように後方に向かって傾いている。そして、肘掛２の後部である後部組立体２２は、背板１２の少なくとも一部よりも後方に突出しており、背板１２の側方端部１２２の一部よりも後方に位置している。そして、後部組立体２２には、背板１２に対向し且つ縦ダクト３１と連通する吹出口２１が設けられている。すなわち、吹出口２１は、背板１２の湾曲面１２０に対向するように、後部組立体２２の上側側面に設けられている。
【００１８】
このように、本発明においては、背板１２に吹出口２１及びダクトが設けられていない。そのため、背板１２のデザインの自由度を高めることができる。例えば、本実施例の背板１２は、美観を向上させるために湾曲面１２０を有している。また、肘掛２の側面の吹出口２１が背板１２の後面に対向するように、後部組立体２２は背板１２の一部よりも後方に突出している。そのため、図３に矢印で示すように、背板１２側に向かって吹き出された空気は、吹出口２１に配置されたルーバー組立体４によって上方へと導かれる。これにより、図１に矢印で示すように、空気は背板１２に沿って空調椅子１の上方へと流れ、後側の空調椅子１の使用者が居る空間が効率的に空調される。さらに、後側の空調椅子１の使用者に直接空気が当たらないので、使用者の不快感を減少させることができる。
【００１９】
また、本実施例の背板１２は、湾曲面１２０を有している。そして、後部組立体２２は、背板１２の高さ方向における略中央の部分において側方端部１２２よりも後方に位置している。そのため、吹出口２１は、背板１２の最も後方に突出した部分よりも前方に位置する。これにより、後部組立体２２が、背板１２に対して大きく突出することがない。そのため、空調椅子１のサイズが大きくなることを防止できる。また、吹出口２１が上方に向かって開口していると、ゴミが縦ダクト３１内に侵入してしまう可能性がある。これに対して、本実施例の吹出口２１は、側方に向かって開口している。そのため、縦ダクト３１内へのゴミの侵入が防止される。
【００２０】
図５は、後方から見た横ダクト１３の斜視図である。横ダクト１３の両側の下端には折り返し部１３３が設けられており、横ダクト１３は折り返し部１３３の間に通気口１０１と連通する下方開口１３１を有している。また、折り返し部１３３の床１００側の面には、シール部材５が接着されている。そして、横ダクト１３は、シール部材５を介して床１００上に取り外し可能に設置されている。これにより、横ダクト１３と床１００との間をシールすることができる。なお、本実施例のシール部材５は、ゴム系発泡体、例えば日東電工社製のエプトシーラーであるが、ウレタン発泡体であっても良い。
【００２１】
横ダクト１３の長手方向の両側には、連通開口１３４が形成されている。横ダクト１３は、側脚本体３２の縁部３５を連通開口１３４の内側にはめ込むことにより、側脚本体３２と連通させることができる。また、横ダクト１３は、一点鎖線で示した境界を境に、前側部分１３５と後側部分１３６とに分割可能である。そして、前側部分１３５を取り外すことにより、床１００の通気口１０１の検査等を行うことができる。なお、前側部分１３５の上面前部は、下方に向かって傾斜している。これにより、座１１を使用位置と収納位置との間で移動させる際に、座１１の後端が横ダクト１３に接触することを防止できる。
【００２２】
［第１実施形態］
図６は、第１実施形態に係る側脚３の側面図であり、図２における左端の空調椅子１の通路２００側の肘掛２内の側脚３を示している。図６においては、座１１及び背板１２に面する側面を示しており、左方向が空調椅子１の前方であり、右方向が空調椅子１の後方である。また、図７は、第１実施形態に係る側脚３の後面図である。図７の右方向は外側方向であり、空調椅子１が設置された状態で通路２００に面する方向である。また、図７の左方向は内側方向であり、座１１及び背板１２に面する方向である。
【００２３】
側脚３は、中空の側脚本体３２と、側脚本体３２の上面に固定された支持板３３と、側脚本体３２の上面に固定された縦ダクト３１とを有する。側脚本体３２には、側脚本体３２の底部から延在する延在部３４が設けられている。そして、側脚３は延在部３４に設けられたボルト穴３４１を介して床１００にボルト留めされ、これにより空調椅子１が床１００に固定される。また、側脚本体３２の上側後方の角部には、上面から後面に渡って上部開口３２１が形成されている。
【００２４】
側脚本体３２の縁部には、前面から上面を介して後面までの領域にシール部材５が接着されている。これにより、横ダクト１３と側脚本体３２との連結部分がシールされる。また、側脚本体３２の後面における縦ダクト３１の後側開口３１１の下端に対応する領域にも、シール部材５が接着されている。これにより、後部組立体２２と縦ダクト３１との連結部分がシールされる。なお、ボルト穴３２３に対応する領域においては、シール部材５が設けられていない。
【００２５】
支持板３３は、縦ダクト３１の幅方向における中央部分に対応するように、側脚本体３２の上面に固定されている。そして、支持板３３には、座支持部材１１１をボルト留めするためのボルト穴３３１が形成されている。なお、支持板３３は、溶接又はボルト留めによって側脚本体３２に固定されている。
【００２６】
図８は、第１実施形態に係る縦ダクト３１の側面図である。図８において、左方向は空調椅子１の前方であり、右方向は空調椅子１の後方である。
【００２７】
縦ダクト３１は、側脚３の両側に位置する二枚の板状部材と、これを接続する中間部材とを有する。そして、二枚の板状部材の間には、吹出口２１に連通する後側開口３１１と、側脚本体３２の上部開口３２１に連通するＬ字状の下側開口３１０とが形成されている。後側開口３１１は、縦ダクト３１の頂部３１２の後端から下側開口３１０の後端まで延在している。また、下側開口３１０は、縦ダクト３１の下端に形成され、側脚本体３２の上部開口３２１と一致する大きさ及び形状を有する。
【００２８】
そして、縦ダクト３１は、下側開口３１０が上部開口３２１と一致するように、溶接又はボルト留めによって側脚本体３２に固定されている。また、縦ダクト３１の前面の縁には、支持板３３に対して座１１側よりの位置にシール部材５が接着されている。これにより、肘掛２の前部である前部組立体２３と縦ダクト３１の間をシールすることができる。
【００２９】
縦ダクト３１内には風向板３１８が設けられており、風向板３１８は第１のダクトの後側開口３１１に向かって傾いている。また、風向板３１８の下端は縦ダクト３１の前面内側に固定され、上端は後側開口３１１の上側の縁部に固定されている。そして、風向板３１８の横幅は、縦ダクト３１の内寸と一致している。これにより、下側開口３１０から導入された空気が、風向板３１８によって後側開口３１１に向けて導かれる。そのため、縦ダクト３１の内部で、頂部３１２の内側に当たった空気流が淀んでしまうことを防止できる。
【００３０】
縦ダクト３１の側面には、ダクトカバー１３２を支持するため前側カバー支持部３１４及び後側カバー支持部３１５が設けられている。そして、ダクトカバー１３２は、前側カバー支持部３１４及び後側カバー支持部３１５にボルト留めされる。なお、前側カバー支持部３１４は、支持板３３に設けることもできる。また、縦ダクト３１の側面には、背板支持部材１２１が取り付けられるボルト穴３１６と、後部組立体２２の取付部材２２１が取り付けられるボルト穴３１７とが形成されている。
【００３１】
第１実施形態において、側脚本体３２の外側側面は、空調椅子１が設置された状態で通路２００に面する。そのため、外側側面は、縦ダクト３１の延在部分３１３によってふさがれている。一方、側脚本体３２の内側には、横ダクト１３と連通するための側方開口３２２が形成されている。側方開口３２２の大きさは、横ダクト１３の連通開口１３４よりも小さい。そのため、横ダクト１３と側脚３とを連通させる際には、側脚本体３２の縁部３５が横ダクト１３の連通開口１３４にはめ込まれる。そして、側脚本体３２の前側上面に設けられたボルト穴３２３を介して、横ダクト１３の前側部分１３５及び後側部分１３６が側脚本体３２にボルト留めされる。
【００３２】
図９は、第１実施形態に係る肘掛２の側面図であり、図２における左端の空調椅子１の通路２００側の肘掛２を示している。また、図１０は前部組立体２３の側面図であり、図１１は後部組立体２２の側面図である。図９、図１０及び図１１においては、座１１及び背板１２に面する側面を示しており、左方向が空調椅子１の前方であり、右方向が空調椅子１の後方である。
【００３３】
肘掛２は、側脚３と、側脚３の側脚本体３２の前部に被さる前部組立体２３と、側脚本体３２の後部に被さる後部組立体２２とを有する。側脚３は肘掛２の内側に配置されており、側脚３の外側には前部組立体２３及び後部組立体２２が固定されている。また、側脚本体３２の前面及び後面には、美観を保つためにダクトカバー１３２がねじ留めされる。なお、第１実施形態の肘掛２は木製であるが、樹脂等の材料によって形成することもできる。
【００３４】
前部組立体２３は、前側ボルト穴２３１を介して支持板３３にボルト留めされ、下側ボルト穴２３２を介して側脚本体３２にボルト留めされている。また、前部組立体２３には穴部２３３が形成されており、当該穴部２３３を介して座支持部材１１１が支持板３３に固定される。前部組立体２３には、後側上部の下面にダボ穴２３４が形成されており、当該ダボ穴２３４には後部組立体２２の上端に形成されたダボ２２２が挿入される。
【００３５】
後部組立体２２には、断面Ｌ字状の取付部材２２１が取り付けられている。当該取付部材２２１は、縦ダクト３１にボルト留めされる。また、後部組立体２２の上側には、縦ダクト３１の後側開口３１１の上方に配置されるように、ルーバー組立体４がねじ留めされている。これにより、ルーバー組立体４は、図９に示すように、肘掛２の吹出口２１に配置される。
【００３６】
図１２は、後部組立体２２の前面図である。図１２においては、左方向が通路２００に面する方向であり、右方向が背板１２に面する方向である。また、図１３は、ルーバー組立体４の斜視図である。図１３においては、左方向が吹出口２１に面する方向であり、右方向が肘掛２の内側方向である。
【００３７】
図１１に示すように、ルーバー組立体４は、横方向ルーバー４２と、横方向ルーバー４２と組み合わされた縦方向ルーバー４１と、横方向ルーバー４２が固定されたベース板４３とを有する。そして、ベース板４３は、後部組立体２２の後面内側にネジ留めされている。また、縦方向ルーバー４１と横方向ルーバー４２の一部には、シール部材５が接着されている。
【００３８】
縦方向ルーバー４１と横方向ルーバー４２とは金属製であり、互いに交差するように組み合わされている。具体的には、横方向ルーバー４２がベース板４３に溶接されており、櫛歯状の複数の溝４２１が横方向ルーバー４２の吹出口２１側の端部に形成されている。そして、縦方向ルーバー４１は、横方向ルーバー４２が縦方向ルーバー４１に対して傾くように溝４２１に差し込まれ、横方向ルーバー４２に溶接される。ここで、縦方向ルーバー４１は、ベース板４３と平行な方向に差し込まれる。これにより、縦方向ルーバー４１を溝４２１に差し込みやすくなるため、ルーバー組立体４の組立が容易になる。
【００３９】
横方向ルーバー４２は、断面Ｖ字状の上側ルーバー４２３と、板状の下側ルーバー４２４とを有すると共に、上側ルーバー４２３と下側ルーバー４２４との間に配置された板状の中間ルーバー４２２を有する。また、下側ルーバー４２４の吹出口２１側には、板状の塞ぎ用ルーバー４２６が配置されている。そして、上側ルーバー４２３は、縦ダクト３１のベース板４３の幅方向中央にＶ字形状の谷部４２５が対応するように配置されている。また、下側ルーバー４２４の下端と中間ルーバー４２２の下端とは、吹出口２１から同じ距離にある。そして、上側ルーバー４２３の谷部４２５は、下側ルーバー４２４の下端及び中間ルーバー４２２の下端よりも吹出口２１から遠い位置にある。また、上側ルーバー４２３、下側ルーバー４２４及び中間ルーバー４２２は同じ厚みを有する。
【００４０】
縦方向ルーバー４１は複数の板状ルーバー４１１を有し、第１実施形態においては６個の板状ルーバー４１１を有する。そして、複数の板状ルーバー４１１のうち、肘掛２の後端（ベース板４３）に近い板状ルーバー４１１の長さは、当該後端から遠い板状ルーバー４１１よりも長い。すなわち、複数の板状ルーバー４１１はそれぞれ長さが異なり、肘掛２の後端に近くなるにつれて縦方向ルーバー４１が長くなる。そのため、図１１に示すように、肘掛２の後端に近い板状ルーバー４１１の下端は、当該後端から遠い板状ルーバー４１１の下端よりも下方へ突出している。さらに、肘掛２の後端に近い板状ルーバー４１１の上端は、当該後端から遠い板状ルーバー４１１の上端よりも上方へ突出している。一方、複数の板状ルーバー４１１は、ベース板４３と平行な方向において全て同じ幅を有する。そして、複数の板状ルーバー４１１の背板１２側の端部は、端面の位置が一致するように揃えられている。
【００４１】
図１３は、ルーバー組立体の斜視図である。図１３に示すように、縦方向ルーバー４１を差し込むための溝４２１は、上側ルーバー４２３、下側ルーバー４２４及び中間ルーバー４２２に形成されている。また、ベース板４３とは反対側の端部には歯が形成されていない。そして、板状ルーバー４１１の図示右側の外面、すなわちベース板４３とは反対側の外面には、シール部材５が接着される。また、塞ぎ用ルーバー４２６は、空気漏れを防ぐために下側ルーバー４２４に接した状態でベース板４３に溶接されている。そして、塞ぎ用ルーバー４２６は、下側ルーバー４２４と同じ幅を有し、ベース板４３と直交する方向に延在している。
【００４２】
このようなルーバー組立体４を備えることにより、第１実施形態においては、空気を上方向へ効率的に導くことができる。そのため、空調の効率を向上させることができる。なお、横方向ルーバー４２が有するルーバーの数は３個には限られず、３個より多くても又は少なくてもよい。また、板状ルーバー４１１の数は６個には限られず、６個より多くても又は少なくてよい。さらに、横方向ルーバー４２に形成された溝４２１に代えて、横方向ルーバー４２を差し込むための溝を縦方向ルーバーに形成してもよい。
【００４３】
［第２実施形態］
図１４は側脚３の後面図であり、図１５は、後部組立体２２の前面図である。なお、第１実施形態と同じ構成については同じ参照符号を付し、その説明は省略する。
【００４４】
第２実施形態の肘掛２は、二脚の空調椅子１に挟まれた中間の肘掛２であり、図２においては、中間の空調椅子１と左端又は右端の空調椅子１との間にある肘掛２である。第２実施形態の肘掛２は第１実施形態と異なり、側脚本体３２の両側面に側方開口３２２が形成されていると共に、肘掛２の両側面に吹出口２１が設けられている。そのため、後部組立体２２の両側に面するようにルーバー組立体４が設けられている。
【００４５】
図１４に示すように、第２実施形態においては、側脚本体３２の底部から延在する延在部３４が側脚本体３２の両側に設けられている。そして、側脚３は延在部３４に設けられたボルト穴３４１を介して床１００にボルト留めされる。また、横ダクト１３と連通する側方開口３２２が側脚本体３２の両側面に形成されている。そして、側脚本体３２の両側の縁部３５が、二つの横ダクト１３の連通開口１３４にはめ込まれる。さらに、ダクトカバー１３２を支持する前側カバー支持部３１４及び後側カバー支持部３１５が、縦ダクト３１の両側に設けられている。なお、第１実施形態と同様に、上部開口３２１が側脚本体３２の上側後方角部に形成され、縦ダクト３１の下側開口３１０が上部開口３２１と連通している。
【００４６】
また、図１５に示すように、第２実施形態においては、後部組立体２２に断面Ｕ字状の取付部材２２１が取り付けられている。そして、当該取付部材２２１は、縦ダクト３１の両側面にボルト留めされる。また、ルーバー組立体４が後部組立体２２の両側に面するように取り付けられており、肘掛２の２つの吹出口２１に対応する。これにより、肘掛２の両隣の背板１２に向かって空気が吹き出される。
【００４７】
第２実施形態においては、横方向ルーバー４２が、断面Ｖ字状の上側ルーバー４２３と、一対の下側ルーバー４２４と、上側ルーバー４２３と下側ルーバー４２４との間に配置された一対の中間ルーバー４２２とを含む。そして、下側ルーバー４２４の吹出口２１側には、一対の塞ぎ用ルーバー４２６が配置されている。また、縦方向ルーバー４１は、後部組立体２２の両側にそれぞれ６個ずつ、合計１２個の板状ルーバー４１１を含む。このようなルーバー組立体４を備えることにより、両隣の空調椅子の上方向へ空気を確実に導くことができる。そのため、空調の効率を向上させることができる。
【００４８】
［第３実施形態］
図１６は、空調装置３００及び空調椅子１を備えた空調システムを示している。空調装置３００は、冷却手段又は加熱手段によって、冷やした空気又は暖めた空気を供給できる。空調装置３００から供給された空気は、給気ダクト４００及び複数の通気口１０１を介して複数の空調椅子１に供給される。図１６において矢印で示すように、通気口１０１から供給された空気は、吹出口２１から空調椅子１の背板１２側に向かって吹き出される。
【００４９】
各通気口１０１は、二脚又は三脚の空調椅子１に対応している。これにより、空調装置３００から供給された空気は、給気ダクト４００、横ダクト１３、側脚本体３２、縦ダクト３１を介して吹出口２１から吹き出される。この時、空気はルーバー組立体４によって上方へと導かれ、背板１２側に向かって吹き出される。これにより、後側の空調椅子１の使用者が居る空間を、効率的に空調することができる。
【００５０】
以上、実施例を参照して本発明について説明したが、本発明は上記実施例に限定されるものではない。本発明に反しない範囲で変更された発明、及び本発明と均等な発明も本発明に含まれる。また、上述の各実施形態及び変形例は、本発明に反しない範囲で適宜組み合わせることができる。
【００５１】
例えば、ルーバー組立体４は、横方向ルーバーのみを有してもよい。また、縦方向ルーバーは、後方に傾けて配置できる。また、上記実施例においては、ルーバー組立体４を後部組立体２２に取り付けた。しかし、ルーバー組立体４は、吹出口２１に配置されていればよく、縦ダクト３１の後側開口３１１に取り付けることもできる。この場合、ルーバー組立体４を、後側開口３１１に溶接することができる。
【００５２】
さらに、上記実施例の吹出口２１は後部組立体２２の上側にのみ設けられているが、前部組立体２３に吹出口２１を設けることもできる。この場合、空調椅子１の前方及び後方に空気を供給できる。また、肘掛２の通路側の面には、座席通路誘導灯を設けることもできる。
【符号の説明】
【００５３】
１：空調椅子、２：肘掛、３：側脚、４：ルーバー組立体、１１：座、１２：背板、１３：第２のダクト、２１：吹出口、２２：後部組立体、３１：第１のダクト、３２：側脚本体、４２：横方向ルーバー、４１：縦方向ルーバー、１２０：湾曲面、１２２：側方端部、１３１：下方開口、３００：空調装置、３１０：下側開口、３１１：後側開口、３１８：風向板、３２１：上部開口、４００：給気ダクト、４１１：板状ルーバー、４２３：上側ルーバー、４２４：下側ルーバー、４２２：中間ルーバー、４２５：谷部
【図１】
0005812698.tif 000002
【図２】
0005812698.tif 000003
【図３】
0005812698.tif 000004
【図４】
0005812698.tif 000005
【図５】
0005812698.tif 000006
【図６】
0005812698.tif 000007
【図７】
0005812698.tif 000008
【図８】
0005812698.tif 000009
【図９】
0005812698.tif 000010
【図１０】
0005812698.tif 000011
【図１１】
0005812698.tif 000012
【図１２】
0005812698.tif 000013
【図１３】
0005812698.tif 000014
【図１４】
0005812698.tif 000015
【図１５】
0005812698.tif 000016
【図１６】
0005812698.tif 000017